(57)【要約】      （修正有）【課題】熱収縮キャップシールにおいて、店頭での新規加飾性表現の意味で鋭角又は変形のカット面を持つ加工を施すことを目的とするが、瓶詰めライン上での収縮加工時にキャップシールが歪まないように又、Ｖ字形状または波状の先端部がカールしないようにする変形カットキャップシール及びそれで封緘処理した瓶製品を提供する。【解決手段】Ｖ字形状カット部２または波形状カット部４を２か所以上にするカット方法と、Ｖ字形状カット部角度Ａを９０度以上１７０度以下の角度でカットする事により先端部にカーリング現象が発生しない安定した形状で美観的にも良好の収縮キャップシールを作り出す事ができる。【選択図】図１
0003202857.tif 000002
【実用新案登録請求の範囲】
【請求項１】
円筒形状の熱収縮キャップシールで、熱収縮キャップシールの下部周囲に、複数のＶ字形状または波形状のカットを備えたことを特徴とする変形カットキャップシール。
【請求項２】
Ｖ字形状は、Ｖ字の角度が、９０度以上１７０度以下で、波形状の場合は波の高さと巾は１：１以上で巾方向を大きくとることからなることを特徴とする請求項１記載の変形カットキャップシール。
【請求項３】
請求項１又は２請求項からなる変形カットキャップシールで封緘処理した瓶製品。
【考案の詳細な説明】
【技術分野】
【０００１】
本考案は加飾性の目的より下方端部を変形にカットした変形カットキャップシールに関する。          
【背景技術】
【０００２】
従来、瓶の口部に対し表示、封緘目的のキャップシールは、収縮性チューブもしくは収縮性フィルムに対して、必要により印刷加工を施したチューブ状もしくはチューブ加工したものを、必要長さに真横にカットして内容物充填後の瓶口に被せ、熱収縮加工を加え封緘と共に、表示・加飾性の付与を行っている。近年、店頭における商品の差別化目的で目立つ工夫が求められ、キャップシール自身にも多色印刷や、アルミ等の異素材との張り合わせ品等多様な加飾性対応品が出来ている。一方、収縮性キャップシールの切りっぱなしのチューブ品と異なり、紙やタックラベルを用いて瓶口に巻いて鋭角なカット面の表現性で差別化をして居る製品群も有る。
【考案の概要】
【考案が解決しようとする課題】
【０００３】
本考案は、プラスチック製熱収縮性キャップシールに新しい表現性を与える目的で、流れ方向に連続的に真横にカットされた従来のキャップシールでは無く、変形カットを行い、瓶口にシャープなＶ字形状切り口や波形状の表現性を与える事を目的としている。従来プラスチック性キャップシールはチューブ状の物を流れ方向に直角にカットするがそれは、連続的にカットする方法で、カットした後方端部が次に先端部と成るものである。又通常のキャップシールに使用する横収縮性チューブ品を斜めもしくは波形状にカットして、一般的な裾広がりの瓶口に被せ加熱収縮させると（１）素材の横方向収縮性の為に細幅状でにカットされた形状では熱収縮時に横方向に引っ張り現象が発生し、先端部がまくれ上がったようになる。（２）斜めカットの場合、瓶に被せた場合カット面の長い部分と短い部分との差が瓶の膨らみ部の関係上、斜めに倒れ込んでしまい加熱収縮時に上部の仕上がりがやはり斜めになる。以上２点の製品仕上がり面より発生するこれら問題への何らかの改善策が本考案の課題と成る。
【課題を解決するための手段】
【０００４】
本考案は熱収縮性キャップシールの下方部に鋭角で、シャープなカット面を作る事や波状の形状を作る事を目的としているが、１、カット時に出る変形カット部と次のシールとの間に出来る抜きカスを工程内で除去する事が求められる。２、瓶口での収縮加工時に先端鋭角部がまくれ上がる事を防止するためには鋭角なＶ字形状部分の角度をシャープ過ぎないようにする等の２つの問題点が有る。一方方向からの斜めカット品を瓶に被せた場合、瓶首がストレートで無く下方に向かい裾広がり形状である点よりこの一本足状態では斜めになり収縮時に歪んでしまう。この事より本考案は斜めカット先端部を左右両面で且つ２か所以上設ける加工方法で解決した。
【０００５】
加熱収縮時のカットの先端部のまくれ上がり防止解決の方法は、Ｖ字形状カットの場合、カットの先端鋭角部を角度９０度以上、１７０度以下に設定し、カットの方法はチューブ状の２方向以上に其々が均一な長さの鋭角部を作り出す形態とする。波形状カットの場合波の高さと波の幅は１：１以上とし巾方向を大きくとり緩やかな波形状を取る。
【考案の効果】
【０００６】
鋭角部のカットを必要以上に鋭角に設定しない角度にする事が、種々の条件での収縮テストを行った結果、先端のまくれ上がりを減少させる事と、視覚的に美しく見え、且つ安定した仕上がりが得られる両方を満足させる角度が９０度以上、１７０度以下であることが分かった。波形状の場合も同様の結果波の高さと波の幅の関係も、１：１以上に巾方向を大きくする事と判明した。又瓶に被せた場合左右に、２か所以上の鋭角状の足が有る構造体が、瓶首で歪まず且つ安定した仕上がりが可能となる事も実験的に判明した。本考案はキャップシールの封緘具としての基本機能である、いたずら防止性、瓶の保護性、衛生性の確保を満足させ、合わせて商品に従来に無い手作り感と共に高級感的な美観と機能が与える事が出来る方法と成る。
【図面の簡単な説明】
【０００７】
【図１】変形カットキャップシール図      （a）キャップシールカットＶ字形状品      （b）キャップシールカット波形状品
【図２】製品仕上がり図
【図３】斜めかぶり図
【考案を実施するための形態】
【０００８】
図１に示すのは本考案の変形カットキャップシール図であり、（a）はキャップシールＶ字形状品を表し、(ｂ)はキャップシールカット波形状品を表している。１は熱収縮キャップシールで、２はＶ字形状カット部である。３は開封用ミシン目で、ＡはＶ字形状カット部角度を表し、４は波形状カット部である。Bは波の高さ、C波の幅を表しB＜Cとなるように設計する。
【０００９】
図２に示すのは本考案の製品仕上がり図であり、図１（a）の先端が鋭角な熱収縮キャップシールを瓶５に被せ、収縮加工をした後の仕上がり状態を表した図である。図１(a)は、キャップシールとしての仕上がり外見は瓶正面と同時に裏面も鋭角的な表現が特徴と成り、この形状は安定して仕上がる。
瓶製品に施される胴部の表紙用ラベルの中心部に同調する様な表現で位置するＶ字形状の鋭角先端部はその先端部があたかも下方に位置するラベルを強調して指示すような存在感ある表現性で店頭でも消費者に向けてひときわ商品を際立たせることを可能にしている。波型形状の場合も同様で瓶首部に従来にない柔らかな表現性が加わる事と成る。
【００１０】
図３に示す斜めかぶり図は、チューブ状キャップシールを斜めに切って裾広がりと成る瓶首に被せたＶ字形状が一つの場合の図で、一方向のみのＶ字形状の鋭角先端部であると、安定しない為、図３の様に斜めに被ってしまい、単なる斜めカット品では使用出来ない事を表している。
【産業上の利用可能性】
【００１１】
キャップシールは、封緘の目的で瓶詰め製品自身の未開封性の証明と共に、瓶詰め製品の製造元が丹精込めて作った製品に対するプライドと信頼性と愛着感を表すもので、消費者に向けて特徴と気品ある外観でアピールしなければならない。その意味で綺麗な仕上がりを考慮したこれまでの類を見ない本考案のキャップシールのシャープな形態や可愛い形態は店頭の商品棚で商品価値を高める目的をなす形状のものと成る。
【符号の説明】
【００１２】
１  熱収縮キャップシール
２  Ｖ字形状カット部
３  開封用ミシン目
４  波形状カット部
５  瓶
Ａ  Ｖ字形状カット部角度
Ｂ  波の高さ
Ｃ  波の幅
【図１】
0003202857.tif 000003
【図２】
0003202857.tif 000004
【図３】
0003202857.tif 000005